(57)【要約】      （修正有）【課題】対象物の目視確認を行っている人々に不快感を抱かせずに照明対象物への注視を喚起し、一般の人々への積極的情報発信を行う事が出来る発光ダイオード照明灯を提供する。【解決手段】異なる発光スペクトル分布の発光ダイオード（Ｉ）２と発光ダイオード（ＩＩ）３を同一の定電流直流電源１により、互いに逆位相で点滅駆動する。ＰＷＭ発振器９又は矩形波発振器１１の出力信号を用いて発光ダイオード（Ｉ）２と発光ダイオード（ＩＩ）３の点滅指令を行う回路で、ＰＷＭ発振器９と矩形波発振器１１との信号の切り替えを、タイミング回路１２の出力で行う。【選択図】図１
0003190212.tif 000002
【実用新案登録請求の範囲】
【請求項１】
異なる発光スペクトル分布の発光ダイオ−ド(I)  2と発光ダイオ−ド(II)  ３  を同一の定電流直流電源  １  により、互いに逆位相で点滅駆動する構成に於いて、PWM発振器  ９  又は矩形波発振器  １１  の出力信号を用いて発光ダイオ−ド(I) ２  と発光ダイオ−ド(II) ３  の点滅指令を行う回路で、PWM発振器  ９  と矩形波発振器  １１  との信号の切り替えを、タイミング回路    １２  の出力で行うよう構成した発光ダイオ−ド照明灯。
【考案の詳細な説明】
【技術分野】
【０００１】
本考案は、陳列商品、店舗内外、営業活動/団体活動等の看板照明等に用いる照明灯に関するものである。
【背景技術】
【０００２】
発光ダイオ−ドを使用した照明灯の場合、発光素子自体の発光スペクトル分布に由来する
問題として、在来灯或いは自然光との比較で、色合いの相違、或いは色調の深みといった類の感覚面での違いがしばしば指摘されており、これらの点を補う手法の一つとして発光スペクトル分布が異なる発光ダイオ−ドをそれぞれ逆位相のPWM方式で点滅制御し互いの発光スペクトル分布を補完する方法が実用されてきている。    
【考案の概要】
【考案が解決しようとする課題】
【０００３】
技術分野の項で記述した用途に於ける照明では、背景技術で述べた様な手法等で問題を相当低減できるレベルまできていると云えるが、特定の商品、活動などに力点を置こうとした場合の照明としての情報発信力には未だ欠けている面が多々存在する。本考案はこの種の不足した機能を照明灯に付与する事により、照明灯の活用範囲を更に広げる事を目的としている。  
【課題を解決するための手段】
【０００４】
発光スペクトル分布が異なる発光ダイオ−ドを、それぞれ逆位相のPWM方式で点滅する際に用いられる変調周波数は、数kHz以上と云った高い周波数が用いられている。(本書類では以下これを調色点灯と呼ぶ)
本考案による照明灯の調色点灯の継続時間は、少なくとも対象商品等を目視で視認する上で十分と云える時間
(約１０分以上) 点灯確保し、次いで人の目の残像時間に比べ十分長い時間周期  (周波数にして０．５〜数Hz) で異なる発光スペクトルの発光ダイオ−ドを交互点灯する  (本書類では以下これを準色点灯と呼ぶ)  時間を１０秒前後とる。その後直ちに再度調色点灯に切り替わる照明を繰り返し行う。
【考案の効果】
【０００５】
上述したように調色点灯時間を、照明対象物を視認する上で十分と云える時間長確保した後に、短時間準色点灯を行う事により、その照明により対象物の目視確認を行っている人々に不快感を抱かせずに照明対象物への注視を喚起し、一般の人々への積極的情報発信を行う事が出来る照明灯である。
【図面の簡単な説明】
【０００６】
【図１】本考案実施例における発光ダイオ−ド照明灯の点灯制御回路の動作を示すブロック図である。
【図２】本考案実施例のタイミング回路のタイミングチャ−ト図である。
【考案実施の形態】
【０００７】
以上の記述おいては、主として照明対象物に照明光を照射し、そこからの反射光を人が視認する形態の照明を想定したものであったが、照明対象物として、例えば、写真、文字、絵柄等を描き、これを半透明板と重ね合わせ、背後から照明光をこの板に照射し、そこを透過した光により照明対象物の視認を行うよう構成された照明灯の形態とする事も出来る。
【実施例】
【０００８】
図１に於いて、発光ダイオ−ドに定電流の直流を給電、点灯を行う定電流直流電源  １  を設け、通常は商用交流電源からの交流を整流して得る直流を出力する。本考案の照明灯では、一定の発光スペクトル分布を有する発光ダイオ−ド(I)  ２  と、これを補完出来る発光スペクトル分布を有する発光ダイオ−ド(II)  ３  とを設ける。      発光ダイオ−ド(I)  ２  と発光ダイオ−ド(II)  ３  のそれぞれのアノ−ドを定電流直流電源  １  の陽極出力端子に接続し、カソ−ドは互いに独立して作動するスイッチ(I)  ４  及びスイッチ(II)  ５  の接点を経由して、それぞれ定電流直流電源  １  の陰極出力端子に接続する。スイッチ(I)  ４  とスイッチ(II)  ５  は通常FET等の素子を用い、制御入力電圧(直流)の高低に応じ直流電流の開閉制御を行う。
【０００９】
本考案の照明灯には、更に図１に示すインバ−タ  ６  、常時閉アナログスイッチ  ７  、常時開アナログスイッチ  ８  、PWM発振器  ９  、ポテンシオメ−タ  １０  、矩形波発振器  １１  、タイミング回路  １２  等の制御回路素子により、発光ダイオ−ド(I)  ２  、発光ダイオ−ド(II)  ３  の電流開閉制御を行う。これらの素子の駆動は一般に定電流直流電源  １  の出力を分圧して得た５V前後の直流を用いる。図１に於いて制御動作の信号伝達経路は破線で表示した。
【００１０】
PWM発振器  ９  は、通常５kHz以上の矩形波を恒常的に発振出力し、該矩形波のデュ−ティ−比はポテンシオメ−タ  １０  の操作で可変出来る構成とし、矩形波発振器  １１  は、通常０．５〜数Hzでデュ−ティ−比固定の矩形波を恒常的に発振出力し、共に後述する方法により発光ダイオ−ド(I)  ２  、発光ダイオ−ド(II)  ３  の電流開閉制御の制御入力としてそれぞれスイッチ(I)  ４  、スイッチ(II)  ５  に供給する。  タイミング回路  １２  の出力は図２に示した波形のH、L信号を出力し、該出力信号を常時閉アナログスイッチ  ７  、及び常時開アナログスイッチ  ８  の作動切り替え信号として供給する。一方PWM発振器  ９  の出力は常時閉アナログスイッチ  ７  の接点を経由し二方に分枝し、一方はスイッチ(I)  ４  に、他方はインバ−タ  ６  を経由しスイッチ(II)  ５  にそれぞれ発光ダイオ−ド(I)  ２  、発光ダイオ−ド(II)  ３  の電流開閉制御用として供給する。同様に矩形波発振器  １１  の出力は常時開アナログスイッチ  ８  の接点を経由した後、PWM発振器  ９  の場合と同じ経路でスイッチ(I)  ４  、スイッチ(II)  ５  を駆動し、発光ダイオ−ト(I)  ２  、発光ダイオ−ド(II)  ３  の電流開閉制御を行う。以上の構成のため、タイミング回路  １２の  出力がL(0V)の時は、常時閉アナログスイッチ  7  の接点は閉、常時開アナログスイッチ  ８  の接点は開のため、発光ダイオ−ド(I)  ２  、発光ダイオ−ド(II)  ３  はPWM発振器  ９  の出力によりそれぞれ逆位相で点滅駆動され、常時開アナログスイッチ  ８  は開のため矩形波発振器  １１  の出力はブロックされ、発光ダイオ−ド(I)  ２  、発光ダイオ−ド(II)  ３  は調色点灯となる。逆にタイミング回路  １２  の出力がH(5V)に転ずると常時閉アナログスイッチ  ７  が開、常時開アナログスイッチ  ８  が閉となり、上述とは逆にPWM発振器  ９  の出力がブロックされ、矩形波発振器  １１  の出力で発光ダイオ−ド(I)  ２  、発光ダイオ−ド(II)  ３  が準色点灯される。
【００１１】
上述した様に、図２に示した時間長  １３  の期間が準色点灯、時間長  １４  の期間が調色点灯となる。
【符号の説明】
【００１２】
１  定電流直流電源
２  発光ダイオ−ド(I)
３  発光ダイオ−ド(II)
４  スイッチ(I)
５  スイッチ(II)
６  インバ−タ
７  常時閉アナログスイッチ
８  常時開アナログスイッチ
９  PWM発振器
１１  矩形波発振器
１２  タイミング回路
【図１】
0003190212.tif 000003
【図２】
0003190212.tif 000004
【手続補正書】
【提出日】平成26年2月20日(2014.2.20)
【手続補正１】
【補正対象書類名】実用新案登録請求の範囲
【補正対象項目名】全文
【補正方法】変更
【補正の内容】
【実用新案登録請求の範囲】
【請求項１】
異なる発光スペクトル分布の第1の発光ダイオ−ド  (2)  と第2の発光ダイオ−ド  (3)  にそれぞれ直列に
第1スイッチ  (4)  と第2スイッチ  (5)  とを配置した回路を、同一の定電流電源  (1)  の出力に並列負荷接
続し、PWM発振器  (9)  または矩形波発振器  (11)  の出力信号をインバ−タ  (6)  を用い互いに逆位相の
二系統の信号に変換し、一方を第１スイッチ  (4)  に他方を第2スイッチ  (5)  の開閉指令信号として供給し、
PWM発振器  (9)  及び矩形波発振器  (11)  の出力とインバ−タ  (6)  の入力間に夫々常時閉アナログス
イッチ  (７)  及び常時開アナログスイッチ  (8)  を配置し、タイミング回路  (12)  の出力で常時閉アナログス
イッチ  (7)  及び常時開アナログスイッチ  (8)  の開閉制御を行うよう構成した発光ダイオ−ド照明灯。